(57)【特許請求の範囲】
【請求項１】
食器の出し入れのための扉(２)を本体(１)前面に有し、該扉(２)を閉状態に固定するロック機構と、そのロック機構を解除するロック解除機構を有し、上記ロック解除機構が２段の時間差をおいて作動し、その１段目の作動で洗浄ポンプ等の負荷への通電を遮断し、２段目の作動で上記扉(２)のロック状態を解除するようになし、上記２段の時間差を、上記ロック解除機構を操作するロック解除操作部の作動ストロークの範囲内でとるようにした食器洗い機の扉開閉装置において、上記の扉(２)が、左右２枚の扉体(３)、(４)を中間ヒンジ部(９)により屈曲自在に連結し、一方の扉体(４)をその外端部上下に設けた扉ヒンジ部(１１)により食器洗い機の本体(１)に回転自在に取付け、他方の扉体(３)をその外端部上下に設けた扉スライド部(１２)により上記本体(１)の上下縁のガイドにスライド自在に嵌合し、上記２枚の扉体(３)、(４)を上記中間ヒンジ部(９)で外方に二つ折れとなるように折り畳みつつ、上記扉ヒンジ部(１１)側に開放するようにしたものであり、上記の洗浄ポンプ等の負荷への通電を遮断する電源遮断装置(５３)を、上記ロック機構のロックピン(３２)に連動せしめ、該ロックピン(３２)のロック解除方向への移動初期に該電源遮断装置(５３)を作動させ、該ロックピン(３２)の移動の終期に扉(２)のロックを解除するようにしたものであり、
上記ロック機構は、右扉体(４)に設けられた上下２本のロックピン(３２)、(３３)とこれらのロックピン(３２)、(３３)を連結する水平方向のレバー(３４)とからなり、該レバー(３４)は支点軸(３５)により上下方向に揺動自在に支持され、その支点軸(３５)の両側に設けた長穴(３６)に上下のロックピン(３２)、(３３)の一端が回動自在に連結され、上記レバー(３４)の右端部と該扉体(４)との間にコイルばね(３９)が介在され、その付勢力により各ロックピン(３２)、(３３)の先端部を本体(１)側の係合凹部(３８)に嵌入して該扉体(４)をロックするようになっており、
上記ロック解除機構は、右扉体(４)の前面左端辺に沿いロック解除ボタン(７)が、また左扉体(３)の前面右端辺に沿い同じ高さに連動ロック解除ボタン(８)がそれぞれ設けられ、上記各ボタン(７)、(８)は上端辺に設けられたヒンジ部(４１)によって前後方向に揺動自在に支持され、上記ロック解除ボタン(７)の左端に設けられた突片(４５)の前面に上記連動ロック解除ボタン(８)の右端に設けられた突片(４５’)が重なり、上記ロック解除ボタン(７)の下端辺に設けられた脚片(４３)が上記レバー(３４)の一端部に設けられた傾斜カム(４４)に当接し、該ロック解除ボタン(７)が押し込まれたときはそれ単独で、連動ロック解除ボタン(８)が押し込まれたときは上記ロック解除ボタン(７)と連動して上記レバー(３４)の端部を下降させ上下のロックピン(３２)、(３３)を扉体（４）の内部に引き込むようにしたことを特徴とする食器洗い機の扉開閉装置。
【請求項２】
上記電源遮断装置（５３）は、直接遮断装置（６１）と、制御部経由遮断装置（６３）、及び上記扉（２）のロック状態検知手段（６４）を有し、前記ロック解除機構の１段目の作動範囲内において、ロックピン（３２）、（３３）の移動開始を上記ロック状態検知手段（６４）により検知し、その検知信号により上記制御部経由遮断装置（６３）を作動させて前記負荷への通電を遮断し、しかる後に上記直接遮断装置（６１）により負荷回路をオフすることを特徴とする請求項１に記載の食器洗い機の扉開閉装置。
【発明の詳細な説明】
【０００１】
【発明の属する技術分野】
この発明は、食器洗い機の扉開閉装置に関するものである。
【０００２】
【従来の技術】
食器洗い機の扉の開閉構造として従来から知られているものは、一枚扉の下端部両側をヒンジ軸で本体に取り付け、前方に扉を倒すように開放するものがある。また、上下２枚の扉体の下部の扉体を前記と同様に下端部両側のヒンジ軸で本体に取付け、上部の扉体を上端両側のヒンジ軸で取付けることにより、下部の扉体を前方に倒すと共に、上部の扉体を上方へはね上げて開放するようにしたものもある。さらに、二つ折りに屈曲しながら上方へはね上げて開放するものも知られている（特開２０００−２９６０９０号公報参照）。
【０００３】
【発明が解決しようとする課題】
しかしながら、上記のように、一枚扉を前方に倒すように開放する構造のものでは、食器洗い機が大型のものである場合は、それに応じて扉も大型化するので、設置場所の前方にそれに応じた余裕が必要となり、また扉開放時に全体の重心が前方に移動するので、食器洗い機が不安定になるなどの問題がある。また、上下２枚の扉体を上下に開く形式のもの、或いは二つ折りに屈曲して本体の上方に開放する形式のものは、はね上げた扉体の位置が高くなるので、大型のもの又は設置場所が高い場合には使用者の手が取手に届き難い不便がある。また、いずれの形式においても、扉が大型化することにより扉の開閉に際し、使用者の負担が大きくなる問題もある。
【０００４】
一方、上記のような食器洗い機においては、食器を洗浄している状態で不用意に扉を開けると、洗浄ポンプから噴射された水が外部に飛び散る不都合がある。
【０００５】
そこで、この発明は、これら従来の問題点を解消し、扉が開放される前に必ず洗浄ポンプ等を自動的に停止して、このような不都合が発生しないようにすること、及び取扱い性の良好な食器洗い機の扉開閉装置を提供することを課題とする。
【０００６】
【課題を解決するための手段】
上記の課題を解決するために、この発明は、食器の出し入れのための扉を本体前面に有し、該扉を閉状態に固定するロック機構と、そのロック機構を解除するロック解除機構を有する食器洗い機の扉開閉装置において、上記ロック解除機構が２段の時間差をおいて作動し、その１段目の作動で洗浄ポンプ等の負荷への通電を遮断し、２段目の作動で上記扉のロック状態を解除するようにした。
【０００７】
上記の構成によると、扉のロックが完全に解除される前に、負荷への通電が遮断されるので、扉を開放する前には洗浄ポンプ等は停止している。
【０００８】
上記ロック解除機構の２段の時間差を、上記ロック解除機構を操作するロック解除操作部の作動ストロークの範囲内でとるようにすることができる。ロック解除操作部の作動ストロークには、ロック解除ボタンの押し込みストローク、ロック解除レバーの回動ストロークなどがある。
【０００９】
また、上記の洗浄ポンプ等の負荷への通電を遮断する電源遮断装置を、上記ロック機構のロックピンに連動せしめ、該ロックピンのロック解除方向への移動初期に該電源遮断装置を作動させ、該ロックピンの移動の終期に扉のロックを解除する構成を採ることもできる。
【００１０】
さらに、上記電源遮断装置は、直接遮断装置と、制御部経由遮断装置、及び上記扉のロック状態検知手段を有し、前記ロック解除機構の１段目の作動範囲内において、ロックピンの移動開始を上記ロック状態検知手段により検知し、その検知信号により上記制御部経由遮断装置を作動させて前記負荷への通電を遮断し、しかる後に上記直接遮断装置により負荷回路をオフする構成を採ることもできる。この構成によると、負荷への通電が先に制御部経由遮断装置により遮断され、その後に作動する直接遮断装置により遮断されることがないので、直接遮断装置を構成するスイッチにおけるアークの発生がなく、接点の溶着が防止される。
【００１１】
なお、上記の扉が、左右２枚の扉体を中間ヒンジ部により屈曲自在に連結し、一方の扉体をその外端部上下に設けた扉ヒンジ部により食器洗い機の本体に回転自在に取付け、他方の扉体をその外端部上下に設けた扉スライド部により上記本体の上下縁のガイドにスライド自在に嵌合し、上記２枚の扉体を上記中間ヒンジ部で外方に二つ折れとなるように折り畳みつつ、上記扉ヒンジ部側に開放するものを採用することにより、食器洗い機の取扱い性が一層向上する。
【００１２】
【発明の実施の形態】
以下、この発明の実施形態を添付図面に基づいて説明する。図１に示すように、実施形態の食器洗い機は、全体として四角形の箱型の本体１の前面開放部に扉２を開閉自在に取付けたものである。扉２は、左扉体３と右扉体４の２枚の扉体からなる。左右の扉体３、４の高さ方向の中間部には、水平方向に長い取手５、５が設けられる。右扉体４の内部に後述のロック装置６が設けられ、また、そのロック装置６に対応してロック解除ボタン７が右扉体４前面において取手５の下方に設けられる。さらに、そのロック解除ボタン７の左方において左扉体３の前面に、該ロック解除ボタン７と連動する連動ロック解除ボタン８が設けられる。
【００１３】
上記左右の扉体３、４は同一の大きさであり、各扉体３、４の内端相互が後述の中間ヒンジ部９により屈曲自在に連結される。また、右扉体４の外端部（右端部）の上下にそれぞれ扉ヒンジ部１１、１１が設けられ、右扉体４がこの扉ヒンジ部１１、１１を中心に回動自在に本体１に取付けられる。また、左扉体３の外端部（左端部）上下に扉スライド部１２、１２が設けられ、各扉スライド部１２、１２が本体１の開口部上下縁に設けたガイドレール１３、１３にスライド自在に嵌入される。各扉体３、４は、図２に示すように、右扉体４がその扉ヒンジ部１１、１１を中心に外方に回動すると、これと連動して左扉体３の扉スライド部１２、１２が、ガイドレール１３、１３を扉ヒンジ部１１、１１側に引き寄せられ、二つ折れ（外方に山折れとなる状態）に屈曲されながら開放される。全開状態において左右の扉体３、４が右端において重なる（図３参照）。この扉スライド部１２の構造の詳細は後述する。
【００１４】
上記の左右の扉体３、４を連結する中間ヒンジ部９は、図４、図５に示すように、連結支柱１４の上下両端部に設けられ、左右の扉体３、４に固定される左右のヒンジ片１５、１６と、連結支柱１４の上下両端に固定されるヒンジピン部材１７とからなる。連結支柱１４は、平面形状がほぼ半円状をなし、その左右の円弧面に沿って左右の扉体３、４の表板３ａ、４ａが回動する（図７参照）。また、連結支柱１４の背面に上下方向の溝１８が設けられる（図５参照）。各ヒンジ片１５、１６は、扉体３、４の裏板３ｂ、４ｂの内面に固定され、その裏板３ｂ、４ｂの内側縁から各扉体３、４の裏面に露出した巻曲げ部１５ａ、１６ｂが前記の溝１８に両側から嵌入される（図５の一点鎖線矢印参照）。前記のヒンジピン部材１７は、連結支柱１４の端面の形状に合致するようにほぼ半円形の板状に形成され、その下面に前記の巻曲げ部１５ａ、１６ｂに合致するヒンジピン１７ａ、１７ｂが下向きに設けられ、図５に示すように、各ヒンジピン１７ａ、１７ｂが、各巻曲げ部１５ａ、１６ｂに嵌入される。
【００１５】
中間ヒンジ部９は上記のように構成されるので、各ヒンジ片１５、１６と一体の左右の扉体３、４がヒンジピン１７ａ、１７ｂを中心として、それぞれ９０度回動可能である。
【００１６】
また、上記の連結支柱１４の内部に、上下方向の貫通穴１９が設けられ、その端面にヒンジピン部材１７の固定用ビス２１を螺合して該ヒンジピン部材１７を連結支柱１４に固定する。
【００１７】
上記の連結支柱１４の下端部近傍において、その内面側に切欠き２２が設けられる（図５参照）。この切欠き２２により前記の貫通穴１９も切り欠かれる。上記の貫通穴１９には軸部材２３が挿入される。この軸部材２３は貫通穴１９の内下端に自重により静止し、その下端から上記の切欠き２２の上部に至る長さを有する。このため、切欠き２２の部分において軸部材２３が露出し、その露出部分にねじりコイルばね２４が挿通される（図１、図６（ｂ）参照）。ねじりコイルばね２４の両脚部２４ａ、２４ｂは自然の状態では狭い角度に開いているが、これを左右に広げて復元弾性を持たせ（図５の二点鎖線参照）、その先端部を左右の扉体３、４の裏板３ｂ、４ｂに押し当てる（図６参照）。これにより、左右の扉体３、４は、ヒンジピン１７ａ、１７ｂを中心に回転するとともに相互に二つ折れ状態に屈曲する方向に付勢される（図７の矢印参照）。
【００１８】
次に、前述の扉スライド部１２の詳細を説明する。扉スライド部１２は、図８、図９に示すように、転動体としてのローラー２５をホルダー２６により保持するとともに、そのホルダー２６を左扉体３の左端部上下に設けた取付け穴２７、２７に収納し、ローラー２５の部分を外部に露出させている。ホルダー２６の下端軸部に抜止め用の係合部２８が設けられる。各ホルダー２６は上下方向に若干の余裕をもって取付けられるが、上部のものは取付け穴２７内に収納したコイルばね２９により上向きに付勢される。
【００１９】
上記構成の扉スライド部１２は、本体１の開口部の上下両縁に設けたガイドレール１３、１３にスライド自在に嵌合され、ホルダー２６の上端においてローラー２５の両側に設けたガイド片３１、３１によりガイドされる。また、各ローラー２５、２５が前記のコイルばね２９によりガイドレール１３、１３に対し押圧され、ガタつきが防止される。
【００２０】
なお、左右の扉体３、４は、図９に示すように、若干後方に傾斜した状態に設けられる。
【００２１】
上記の扉スライド部１２は、ローラー２５のような転動体に代えて、単なる摺動体（スライダー）を使用するようにしてもよい。
【００２２】
次に、前述のロック装置６と、ロック解除ボタン７、連動ロック解除ボタン８の詳細を図１０と図１１に基づいて説明する。ロック装置６は、右扉体４の内部に設けられ、図１０（ａ）に示すように、上下２本のロックピン３２、３３と、これらのロックピン３２、３３を連結する水平方向のレバー３４とからなる。レバ−３４は支点軸３５により上下方向に揺動自在に支持され、その支点軸３５の両側に設けた長穴３６、３６に上下のロックピン３２、３３に一端が回動自在に連結される。また、各ロックピン３２、３３は縦ガイド３７、３７により上下方向にガイドされ、各ロックピン３２、３３の先端部は、右扉体４の上下から出没自在に突き出し、本体１側の係合凹部３８、３８に嵌合される。
【００２３】
また、上記のレバー３４の右端部と扉体４との間にコイルばね３９を介在し、その弾性により前記レバー３４を付勢し、その付勢力により各ロックピン３２、３３の先端を係合凹部３８、３８に嵌入して、右扉体４をロックするようにしている。右扉体４のロックにより、これに連結された左扉体３も同時にロックされる。
【００２４】
上記のロックを解除するロック解除手段として、右扉体４の取手５の下方において、前面左端辺に沿って前記のロック解除ボタン７が設けられ、また、左扉体３においても取手５の下方において、前面右端辺に沿って前記ロック解除ボタン７と同じ高さに連動ロック解除ボタン８が設けられる。これらの各解除ボタン７、８は、左右方向に長い長方形の板状部分が扉体３、４の前面に露出し、その部分が下方に至る従い高くなるように傾斜しており、その傾斜面を使用者が押し込んでロックを解除するようになっている。また、上端辺にヒンジ部４１が設けられ、裏板４ｂの内面に設けられたヒンジ受け部４２に前後方向に揺動自在に支持される。
【００２５】
右扉体４に設けられたロック解除ボタン７の下端辺には脚片４３が設けられる。この脚片４３は、前記のレバー３４の一端部に設けられた傾斜カム４４に当接し、該ロック解除ボタン７が押し込まれたとき（図１１（ｂ）の矢印参照）該レバー３４の端部を下降させ、該レバー３４を傾斜させる（図１１（ａ）の二点鎖線及び矢印参照）。また、左右の各ロック解除ボタン７、８の外側辺は、左右の扉体３、４の内側辺の突き合わせ部分において対向し、右側のロック解除ボタン７に設けられた突片４５の前面に、他方の連動ロック解除ボタン８に設けられた突片４５’が重なるようになっている（図１１（ｃ）参照）。
【００２６】
左右のロック解除ボタン７、８は、上記のように突片４５と４５’とが重なっているので、ロック解除ボタン７を押し込んだ場合は、連動ロック解除ボタン８は作動されないまま、ロック装置６のレバー３４が揺動され、ロックピン３２、３３を扉体４の内部に引き込み、各係合凹部３８、３８との係合、即ちロックを解除する。また、連動ロック解除ボタン８を押し込んだ場合は、その突片４５’が右の突片４５を通じてロック解除ボタン７を連動させるので、これにより前記の場合と同様にしてロックを解除する。
【００２７】
次に、左右の扉体３、４の前面に取付けられた取手５、５について説明する。図１、図２等に示すように、各取手５を水平方向に長く設けているのは、扉体３、４が左右方向に二つ折れ状態に屈曲されながら左右方向に移動する場合に、取手５を握った手をその移動に応じて滑らしながら扉２の開閉操作を行うことができ、手首の自然な動きに合致することによる。また、各取手５の外端に近い部分は傾斜して次第に背が低くなっているが、これは、扉体３、４を開放した状態で食器４６（図１２参照）を出し入れする場合に、食器４６が取手５に当たる不都合を避けるためである。
【００２８】
なお、取手５のその他の例を図１３（ａ）から（ｆ）に示す。
【００２９】
実施形態の食器洗い機は以上のようなものであり、左右の扉体３、４が中間ヒンジ部９の両側で１８０度の開き角をとった扉２の閉止状態では（図１参照）、扉２がロック装置６によりロックされ、勝手に開放されないようになっている。
【００３０】
これを開放する際は、使用者が左右いずれかのロック解除ボタン７、８を押し込む。そうすると、ロック装置６によるロックが解除される。ロックの解除により、左右の扉体３、４は、ねじりコイルばね２４の復元弾性により、中間ヒンジ部９のヒンジピン１７ａ、１７ｂを中心として二つ折れ屈曲しながら扉２の開放を開始する。この開放の開始は、使用者がハンドル５に触れなくとも前記の復元弾性により勝手に行われる。ねじりコイルばね２４の復元弾性だけで扉２を完全に開放させるようにすると、ねじりコイルばね２４が大型化するので、扉２が半分程度自動的に開放する程度のものとし、それ以後は使用者がハンドル５を握って右方へ移動させ、図２のようなＶ型の二つ折れ屈曲状態を経て、図１２に示した完全開放状態とする。
【００３１】
逆に、完全開放状態から扉２を閉める場合は、左右いずれかの扉体３、４の取手５を握って左方へ移動させると、前記と逆の作用により扉２が閉められ、ロック装置６の各ロックピン３２、３３が自動的に係合凹部３８、３８に嵌入し、扉２がロックされる。
【００３２】
次に、ロック解除ボタン７、８が押し込まれたことを電気的に検知し、扉２が開放される前に、洗浄用ポンプ等の負荷への通電を遮断する装置を採用した場合の実施形態について説明する。この場合は、前記のロックピン３２、３３のいずれか一方を利用することにより構成されるが、以下の説明では、図１４等に示すように、上部のロックピン３２を利用した場合について説明する。
【００３３】
図１４に示すように、ロックピン３２の先端部が係合する係合凹部３８に孔５１が設けられ、本体１の天井部５２の上面に設置された電源遮断装置５３のスイッチレバー５４の先端部がその孔５１を通じてロックピン３２の先端傾斜面に当接する。スイッチレバー５４は、ばね５５により常にロックピン３２の先端傾斜面に当接するように付勢されている。
【００３４】
上記の電源遮断装置５３は、対向した２個のマイクロスイッチＡ，Ｂを有し、図１６に示すように、それぞれのアーマチュア５６、５７がスイッチレバー５４の先端部に設けたカムヘッド５８に当接し、そのカムヘッド５８の形状と作動とによりオン・オフされる。
【００３５】
図１７に示すように、マイクロスイッチＡが洗浄ポンプ５９の電源回路に直列に接続され、負荷電流を入り切りする直接遮断装置６１を構成する。また、扉のロック状態検知手段６４を構成するマイクロスイッチＢにより、マイコン６２を通じて制御部経由遮断装置６３である制御リレーRYを作動させ、負荷電流を入り切りする。
【００３６】
前記のカムヘッド５８は、両方のマイクロスイッチＡ、Ｂをオンにする高台部６５、６５’を両面に有するとともに、一方の高台部６５’の下方に低台部６６を有し、マイクロスイッチＡは高台部６５に対向し、他方のマイクロスイッチＢは他方の高台部６５’に対向する。
【００３７】
マイクロスイッチＡ、Ｂと、カムヘッド５８との位置関係は、両方ともオンの状態（図１６（ｂ）参照）、マイクロスイッチＡがオンで、同Ｂがオフの状態（同（ｃ）参照）、両方ともオフの状態（同（ｄ）参照）がある。
【００３８】
また、前記のロックピン３２と、スイッチレバー５４との関係は、図１４と図１５に示すように、ロックピン３２のストロークの上端において、ロックピン３２はスイッチレバー５４を最も押し上げた状態にある（図１４参照）。このとき、カムヘッド５８は最も低い位置にあり（図１６（ｂ）参照）、またロックピン３２の先端部は係合凹部３８に最も深く嵌入した完全ロック状態にある。
【００３９】
次に、図１４の完全ロック状態からロックピン３２が下降を開始して、図１５（ａ）の状態に至る下降ストロークの初期の段階において、図１６（ｃ）の状態において、マイクロスイッチＡがオンのままで、マイクロスイッチＢがオフとなる。マイクロスイッチＢがオフになると、それを信号としてマイコン６２（図１７（ａ）参照）を通じて制御部経由遮断装置６３である制御リレーRYを作動させ、洗浄ポンプ５９等の負荷への通電を遮断する。この遮断は、マイコン６２により、電源６７の電圧ｅ（図１７（ｂ）参照）のゼロクロス点ｔ1 、ｔ2 等を検知して、その時点で遮断を行うことにより、制御リレーRYの接点におけるアークの発生を防止する。
【００４０】
さらに、ロックピン３２が図１６（ｃ）の状態から同（ｄ）の状態に至る下降ストロークの終期において、マイクロスイッチＡがオフとなり、負荷回路を遮断するが、このときすでに負荷電流はゼロであるので、アークの発生が防止される。また、この時点でロックピン３２の先端部が係合凹部３８から完全に離脱し、ロック解除状態となる。したがって、扉体４が開放可能となる（図１５（ｂ）の二点鎖線参照）。
【００４１】
上記のように、ロックピン３２は、コイルばね３９（図１０参照）とレバー３４と組合わされてロック機構を構成するとともに、ロック解除ボタン７との組合わせによりロック解除機構を構成するものであるところ、ロック解除機構を構成するロックピン３２の下降ストロークは、初期（前半）の段階と終期（後半）の段階において、異なった作動を行う。即ち、初期の段階においては、電源遮断装置５３の作動により負荷への通電を遮断し、また、終期の段階においては、扉２のロックを解除する。このような、時間差をもたせることにより、扉２を開放する前には洗浄ポンプ５９等の負荷が停止していることになり、噴射水の飛び散りを防ぐことができる。
【００４２】
また、上記の初期段階において、負荷電流を遮断するタイミングとして、先に制御部経由遮断装置６３（制御リレーRY）を作動させ、その後に直接遮断装置６１（マイクロスイッチＡ）を作動させるという時間差をもたせることにより、アークの発生を防止することができる。
【００４３】
【発明の効果】
以上のように、この発明によれば、左右の扉体により構成された扉が左右方向に開閉されるので、使用者が握るハンドルの高さが一定であり、また、扉の重量は本体により支持されるので、使用者の負担が少ない利点がある。また、扉は、２枚の左右の扉体を二つ折れ状態に折り畳むので、本体の前方へ突き出す量が一枚ものの扉に比べ半分となり、食器洗い機前方に必要な開閉空間が少なくてよい利点もある。
【００４４】
また、左右の扉体の中間ヒンジ部で二つ折れ状態に屈曲するような付勢力を付与することにより、ロックを解除すると扉が自動的に又は軽く開放される便利さがある。
【００４５】
さらに、扉を開放する際には、洗浄ポンプ等の負荷の電源を先に遮断したのち、扉のロックを解除するようにしているので、扉を不用意に開放したとしても、洗浄水が外部に飛び散る不都合が解消される。また、負荷の電源を遮断する際にも、先に制御部を通じて遮断するようにすることにより、電源遮断時のアーク発生がなく、従って、接点の溶着を防止することができる。
【図面の簡単な説明】
【図１】実施形態の食器洗い機の斜視図
【図２】同上の扉半開状態の一部斜視図
【図３】同上の扉全開状態の一部斜視図
【図４】（ａ）同上の扉部分の一部省略横断面図
（ｂ）同上の扉部分の一部省略正面図
【図５】同上の中間ヒンジ部の一部省略分解斜視図
【図６】（ａ）同上の中間ヒンジ部の横断平面図
（ｂ）（ａ）図のｂ−ｂ矢視図
【図７】同上の中間ヒンジ部の作用状態の一部横断平面図
【図８】（ａ）同上の扉スライド部の断面図
（ｂ）同上の扉スライド部の分解斜視図
【図９】  同上の扉部分の縦断側面図
【図１０】（ａ）同上のロック装置の一部省略縦断正面図
（ｂ）（ａ）図のｂ−ｂ線の断面図
【図１１】（ａ）同上の解除ボタン部分の一部省略縦断正面図
（ｂ）（ａ）図のｂ−ｂ線の断面図
（ｃ）（ａ）図のｃ−ｃ線の断面
【図１２】同上の扉全開状態の平面図
【図１３】（ａ）取手の変形例の一部省略平面図
（ｂ）取手の変形例の一部省略平面図
（ｃ）取手の変形例の正面図
（ｄ）（ｃ）図のｄ−ｄ線の断面図
（ｅ）取手の変形例の正面図
（ｆ）取手の変形例の正面図
【図１４】同上の一部変形した状態の断面図
【図１５】（ａ）同上のロック状態の断面図
（ｂ）同上のロック解除状態の断面図
【図１６】（ａ）から（ｄ）電源遮断装置の概略平面図
【図１７】（ａ）同上の制御回路図
（ｂ）同上の電流波形図
【符号の説明】
１  本体
２  扉
３  左扉体
３ａ  表板
３ｂ  裏板
４  右扉体
４ａ  表板
４ｂ  裏板
５  取手
６  ロック装置
７  ロック解除ボタン
８  連動ロック解除ボタン
９  中間ヒンジ部
１１  扉ヒンジ部
１２  扉スライド部
１３  ガイドレール
１４  連結支柱
１５  ヒンジ片
１５ａ  巻曲げ部
１６  ヒンジ片
１６ｂ  巻曲げ部
１７  ヒンジピン部材
１７ａ、１７ｂ  ヒンジピン
１８  溝
１９  貫通穴
２１  固定用ビス
２２  切欠き
２３  軸部材
２４  ねじりコイルばね
２４ａ  脚部
２４ｂ  脚部
２５  ローラー
２６  ホルダー
２７  取付け穴
２８  係合部
２９  コイルばね
３１  ガイド片
３２  ロックピン
３３  ロックピン
３４  レバー
３５  支点軸
３６  長穴
３７  縦ガイド
３８  係合凹部
３９  コイルばね
４１  ヒンジ部
４２  ヒンジ受け部
４３  脚片
４４  傾斜カム
４５、４５’  突片
４６  食器
５１  孔
５２  天井部
５３  電源遮断装置
５４  スイッチレバー
５５  ばね
５６  アーマチュア
５７  アーマチュア
５８  カムヘッド
５９  洗浄ポンプ
６１  直接遮断装置
６２  マイコン
６３  制御経由遮断装置
６４  ロック状態検知手段
６５  高台部
６６  低台部
６７  電源
【図１】
0003957981.tif 000002
【図２】
0003957981.tif 000003
【図３】
0003957981.tif 000004
【図４】
0003957981.tif 000005
【図５】
0003957981.tif 000006
【図６】
0003957981.tif 000007
【図７】
0003957981.tif 000008
【図８】
0003957981.tif 000009
【図９】
0003957981.tif 000010
【図１０】
0003957981.tif 000011
【図１１】
0003957981.tif 000012
【図１２】
0003957981.tif 000013
【図１３】
0003957981.tif 000014
【図１４】
0003957981.tif 000015
【図１５】
0003957981.tif 000016
【図１６】
0003957981.tif 000017
【図１７】
0003957981.tif 000018